(57)【要約】【課題】薄肉化を図った場合でも缶体の座屈強度を従来通り、またはそれ以上に保つことができるボトル缶、及びキャップ付きボトル缶を提供する。【解決手段】缶胴と缶底とを備えた有底筒状のボトル缶１であって、前記缶胴は、前記缶底に接続する胴部と、前記胴部から上方へ向かうに従い縮径する肩部６と、前記肩部６から上方へ向けて延びる口部７と、を備え、前記口部７は、ねじ部１１と、前記ねじ部１１の下方に隣接配置され、径方向外側へ向けて膨出するカブラ部１２と、前記カブラ部１２と前記肩部６との間に配置され、径方向外側へ向けて突出するとともに周方向に延びる鍔状の凸部１３と、を有し、前記カブラ部１２の下端１６と、前記凸部１３のうち最も径方向外側に位置する頂部２０と、の間の缶軸方向に沿う距離Ｂが、５ｍｍ以下であることを特徴とする。【選択図】図３
2018184187.tif 000002
【特許請求の範囲】
【請求項１】
缶胴と缶底とを備えた有底筒状のボトル缶であって、
前記缶胴は、
前記缶底に接続する胴部と、
前記胴部から上方へ向かうに従い縮径する肩部と、
前記肩部から上方へ向けて延びる口部と、を備え、
前記口部は、
ねじ部と、
前記ねじ部の下方に隣接配置され、径方向外側へ向けて膨出するカブラ部と、
前記カブラ部と前記肩部との間に配置され、径方向外側へ向けて突出するとともに周方向に延びる鍔状の凸部と、を有し、
前記カブラ部の下端と、前記凸部のうち最も径方向外側に位置する頂部と、の間の缶軸方向に沿う距離が、５ｍｍ以下であるボトル缶。
【請求項２】
請求項１に記載のボトル缶であって、
缶軸に沿う縦断面視で、前記凸部と前記肩部との間に、前記凸部と前記肩部とを接続する複数の凹円弧部を備えたボトル缶。
【請求項３】
請求項２に記載のボトル缶であって、
複数の前記凹円弧部のうち前記凸部の下方に隣接配置された第１凹円弧部と、前記凸部と、を繋ぐ第１接続部と、
複数の前記凹円弧部のうち前記肩部の上方に隣接配置された第２凹円弧部と、前記肩部と、を繋ぐ第２接続部と、の間の缶軸方向に沿う距離が、３ｍｍ以上であるボトル缶。
【請求項４】
請求項２又は３に記載のボトル缶であって、
缶軸に沿う縦断面視で、複数の前記凹円弧部の間に、前記凹円弧部同士を接続する直線部を備えたボトル缶。
【請求項５】
請求項１〜４のいずれか一項に記載のボトル缶であって、
前記凸部の前記頂部と、
前記凸部と前記肩部との間で最も径方向内側に位置する部分と、の間の径方向に沿う距離が、０．６ｍｍより大きいボトル缶。
【請求項６】
請求項１〜５のいずれか一項に記載のボトル缶であって、
缶軸に沿う縦断面視で、前記凸部は、複数の凸円弧部を有するボトル缶。
【請求項７】
請求項６に記載のボトル缶であって、
缶軸に沿う縦断面視で、前記凸部は、複数の前記凸円弧部同士を接続する直線部を有するボトル缶。
【請求項８】
請求項１〜７のいずれか一項に記載のボトル缶であって、
前記凸部の缶軸方向に沿う長さが、１．５〜８ｍｍであるボトル缶。
【請求項９】
請求項１〜８のいずれか一項に記載のボトル缶であって、
前記凸部における上端部に、径方向内側へ向かうに従い上方へ向けて傾斜するテーパー部を備えたボトル缶。
【請求項１０】
請求項１〜９のいずれか一項に記載のボトル缶であって、
前記カブラ部において最も径方向外側に位置する部分、及び、前記ねじ部において最も径方向外側に位置する部分のいずれかに対して、前記凸部の前記頂部が径方向外側に配置されたボトル缶。
【請求項１１】
請求項１〜１０のいずれか一項に記載のボトル缶であって、
前記凸部の板厚が、０．３ｍｍ以下であるボトル缶。
【請求項１２】
請求項１〜１１のいずれか一項に記載のボトル缶の前記口部に、キャップが取り付けられたキャップ付きボトル缶。
【発明の詳細な説明】
【技術分野】
【０００１】
本発明は、薄肉化を図っても缶体の座屈強度を高めることが可能なボトル缶、及びキャップ付きボトル缶に関する。
【背景技術】
【０００２】
従来、例えば下記特許文献１〜３に示されるようなボトル缶が知られている。
ボトル缶は、アルミニウム合金材料等からなり、有底筒状に形成される。ボトル缶は、缶の周壁である缶胴と、缶の底壁である缶底と、を備えている。缶胴は、缶底に接続する最大径部分である胴部と、胴部から上方（缶軸方向に沿う開口端部側）へ向かうに従い徐々に縮径する肩部と、肩部から上方へ向けて延びる口部と、を備えている。口部は、ねじ部と、ねじ部の下方（缶軸方向に沿う缶底側）に隣接配置され、径方向外側へ向けて膨出するカブラ部と、を有する。
【０００３】
ボトル缶の内部に飲料等の内容物が充填された後、口部にはキャップが取り付けられる。この際、キャップの周壁の下端部がカブラ部に係止される。つまりカブラ部によって、キャップの上方への抜け出し、緩み等が防止される。
【先行技術文献】
【特許文献】
【０００４】
【特許文献１】特開２０１６−１９６３３２号公報
【特許文献２】特開２００３−２０５９２４号公報
【特許文献３】特許第３５６１７９６号公報
【発明の概要】
【発明が解決しようとする課題】
【０００５】
ところで近年、原材料削減の観点や、ＣＯ２排出量削減等環境保護の観点から、ボトル缶の板厚を薄肉化することへの要請がある。
しかしながら、従来のボトル缶では、薄肉化を図った場合において座屈強度を確保することが困難であった。具体的には、ボトル缶の口部にキャップを取り付ける際などに、缶軸方向への荷重（軸荷重）、缶軸に直交する径方向への荷重（横荷重）及び内圧等が作用して、ボトル缶が大きく変形することや座屈変形するおそれがあった。
【０００６】
本発明は、このような事情に鑑みてなされたものであって、薄肉化を図った場合でも缶体の座屈強度を従来通り、またはそれ以上に保つことができるボトル缶、及びキャップ付きボトル缶を提供することを目的としている。
【課題を解決するための手段】
【０００７】
本発明の一態様は、缶胴と缶底とを備えた有底筒状のボトル缶であって、前記缶胴は、前記缶底に接続する胴部と、前記胴部から上方へ向かうに従い縮径する肩部と、前記肩部から上方へ向けて延びる口部と、を備え、前記口部は、ねじ部と、前記ねじ部の下方に隣接配置され、径方向外側へ向けて膨出するカブラ部と、前記カブラ部と前記肩部との間に配置され、径方向外側へ向けて突出するとともに周方向に延びる鍔状の凸部と、を有し、前記カブラ部の下端と、前記凸部のうち最も径方向外側に位置する頂部と、の間の缶軸方向に沿う距離が、５ｍｍ以下であることを特徴とする。
また、本発明の一態様に係るキャップ付きボトル缶は、上述したボトル缶の前記口部に、キャップが取り付けられたことを特徴とする。
【０００８】
本発明の発明者は、ボトル缶の座屈強度について鋭意研究を重ねた結果、座屈強度低下の一つの原因として、（横断面にて）飲み口部（口部）近傍の楕円状変形の影響が大きく、飲み口部に近い位置で強度（または剛性）を高めることが座屈抑制に効果的である、という知見に至った。
【０００９】
そこで本発明では、口部におけるカブラ部と肩部との間に、径方向外側に向けて突出するとともに周方向に延びる鍔状の凸部を設けることとした。具体的には、この凸部のうち最も径方向外側に位置する頂部が、カブラ部の下端から缶軸方向に沿う５ｍｍ以下の範囲に配置されている。つまり凸部が、カブラ部及びその上方に隣接するねじ部に接近して配置されているので、ねじ部やカブラ部の強度を確実に高めることができ、その結果、缶体の座屈変形を効果的に抑制することができる。
【００１０】
本発明とは異なり、カブラ部の下端と、凸部のうち最も径方向外側に位置する頂部と、の間の缶軸方向に沿う距離が５ｍｍを超える場合には、ねじ部及びカブラ部に対して凸部を接近配置できないため、缶体の座屈変形抑制効果が十分に得られない。そのため、薄肉化の要請に応えることは難しい。
一方、本発明によれば、薄肉化を図っても缶体の座屈強度を従来通り、またはそれ以上に保つことができる。
【００１１】
また、上記ボトル缶において、缶軸に沿う縦断面視で、前記凸部と前記肩部との間に、前記凸部と前記肩部とを接続する複数の凹円弧部を備えたことが好ましい。
【００１２】
上記構成では、ボトル缶の縦断面視において、凸部と肩部との間に複数の凹円弧部が形成されており、これらの凹円弧部を介して凸部と肩部とが接続されている。これにより、下記の作用効果を奏する。
すなわちこの場合、複数の凹円弧部の曲率半径を互いに異ならせることができるので、例えば、曲率半径の大きい凹円弧部によって、凸部と肩部との間の缶軸方向に沿う距離を長く確保することができ、その分、凸部とカブラ部との缶軸方向の距離を短くすることができて、上述した本発明による作用効果がより格別顕著なものとなる。
また、曲率半径の小さい凹円弧部によって、凸部の径方向外側へ向けた突出量を大きく確保しやすくなり、軸方向や径方向の荷重に対する強度の向上を図ることができる。
【００１３】
また、上記ボトル缶において、複数の前記凹円弧部のうち前記凸部の下方に隣接配置された第１凹円弧部と、前記凸部と、を繋ぐ第１接続部と、複数の前記凹円弧部のうち前記肩部の上方に隣接配置された第２凹円弧部と、前記肩部と、を繋ぐ第２接続部と、の間の缶軸方向に沿う距離が、３ｍｍ以上であることが好ましい。
【００１４】
この場合、凸部の下端に位置する第１接続部と、肩部の上端に位置する第２接続部と、の間の缶軸方向に沿う距離が３ｍｍ以上であるので、凸部と肩部との缶軸方向に沿う距離を長く確保することができ、その分、凸部とカブラ部との缶軸方向の距離を短くすることができて、上述した本発明による作用効果がより格別顕著なものとなる。
【００１５】
また、上記ボトル缶において、缶軸に沿う縦断面視で、複数の前記凹円弧部の間に、前記凹円弧部同士を接続する直線部を備えたことが好ましい。
【００１６】
この場合、ボトル缶の縦断面視において、凸部と肩部との間に、複数の凹円弧部及びこれらの凹円弧部同士を接続する直線部が形成されている。直線部が設けられることによって、凸部と肩部との缶軸方向に沿う距離を長く確保することが容易となり、その分、凸部とカブラ部との缶軸方向の距離を短くすることができて、上述した本発明による作用効果を安定して得ることができる。
【００１７】
また、上記ボトル缶において、前記凸部の前記頂部と、前記凸部と前記肩部との間で最も径方向内側に位置する部分と、の間の径方向に沿う距離が、０．６ｍｍより大きいことが好ましい。
【００１８】
この場合、凸部と肩部との間で最も径方向内側に位置する部分から、この凸部が径方向外側へ向けて突出する突出量が０．６ｍｍよりも大きいので、該凸部によって缶体の座屈強度を確実にかつ顕著に高めることができる。
【００１９】
また、上記ボトル缶において、缶軸に沿う縦断面視で、前記凸部は、複数の凸円弧部を有することが好ましい。
【００２０】
上記構成では、ボトル缶の縦断面視において、凸部に複数の凸円弧部が形成されている。これにより、下記の作用効果を奏する。
すなわちこの場合、複数の凸円弧部の曲率半径を互いに異ならせることができるので、例えば、曲率半径の小さい凸円弧部によって、カブラ部に対して凸部（の頂部）を缶軸方向に接近配置しやすくなり、上述した本発明による作用効果がより安定して得られやすくなる。また、曲率半径の小さい凸円弧部によって、缶軸方向の所定の領域内における凸部の径方向外側へ向けた突出量を大きく確保しやすくなり、軸方向や径方向の荷重に対する強度の向上を図ることができる。
【００２１】
また、曲率半径の大きい凸円弧部によって、凸部の缶軸方向に沿う長さを大きく確保することができ、該凸部による座屈強度向上の効果を缶軸方向の広い範囲で奏することができる。
また、ボトル缶の外面に曲率半径の大きい凸円弧部が形成されることによって、該ボトル缶の内面においては、曲率半径の大きい凹円弧部が形成される。このため、缶製造時において、口部の成形後に、缶内面に塗料を噴霧し塗膜を形成する場合には、凸部の缶内面（凸部の裏面）に内面塗料を流しやすく（全体に行き渡りやすく）することができ、缶内面への塗装状態が安定する。また、口部の成形前に、缶内面に塗料を噴霧し塗膜を形成する場合には、凸部の成形時において、凸部の缶内面に曲率半径の大きな凹円弧部が成形されることにより該凹円弧部から塗膜が剥がれるような不具合を抑制できる。また、製品のボトル缶において、凸部の缶内面に形成された凹部に飲料等の内容物が溜まってしまうような不具合を防止できる。
【００２２】
また、上記ボトル缶において、缶軸に沿う縦断面視で、前記凸部は、複数の前記凸円弧部同士を接続する直線部を有することが好ましい。
【００２３】
この場合、ボトル缶の縦断面視において、凸部に、複数の凸円弧部及びこれらの凸円弧部同士を接続する直線部が形成されている。直線部が設けられることによって、凸部の缶軸方向に沿う長さを大きく確保することが容易となり、該凸部による座屈強度向上の効果を缶軸方向の広い範囲で得ることができる。
また、直線部が形成されて凸部の缶軸方向の長さが大きくなる分、缶製造時において、口部の成形後に、缶内面に塗料を噴霧し塗膜を形成する場合には、凸部の缶内面（凸部の裏面）に内面塗料を流しやすく（全体に行き渡りやすく）することができ、缶内面への塗装状態が安定する。また、口部の成形前に、缶内面に塗料を噴霧し塗膜を形成する場合には、凸部の成形時において、凸部の缶内面に成形される凹部が小さく曲げられることにより該凹部から塗膜が剥がれるような不具合を防止できる。また、製品のボトル缶において、凸部の缶内面に形成された凹部に飲料等の内容物が溜まってしまうような不具合を抑制できる。
なお、直線部が缶軸に対して傾斜させられていてもよく、この場合、凸部の径方向に沿う長さ（径方向外側へ向けた突出量）をより大きく確保することができ、軸方向や径方向の荷重に対する強度の向上を図ることができる。
【００２４】
また、上記ボトル缶において、前記凸部の缶軸方向に沿う長さが、１．５〜８ｍｍであることが好ましい。
【００２５】
上記構成では、凸部の缶軸方向の長さが１．５ｍｍ以上であるので、缶製造時において、口部の成形後に、缶内面に塗料を噴霧し塗膜を形成する場合には、凸部の缶内面（凸部の裏面）に内面塗料を流しやすく（全体に行き渡りやすく）することができ、缶内面への塗装状態が安定する。また、口部の成形前に、缶内面に塗料を噴霧し塗膜を形成する場合には、凸部の成形時において、凸部の缶内面に成形される凹部が小さく曲げられることにより該凹部から塗膜が剥がれるような不具合を防止できる。また、製品のボトル缶において、凸部の缶内面に形成された凹部に飲料等の内容物が溜まってしまうような不具合を抑制できる。
【００２６】
また、凸部の缶軸方向の長さが８ｍｍ以下であるので、この凸部の缶軸方向の全長が長くなり過ぎてしまうことを抑えて、該凸部により確実に缶体の座屈強度を高めることができる。また、例えば凸部の缶軸方向の全長を長く確保するために肩部の位置を下げてしまうようなことがなくなり、内容物の容量が減じることを防止できる。
【００２７】
また、上記ボトル缶において、前記凸部における上端部に、径方向内側へ向かうに従い上方へ向けて傾斜するテーパー部を備えたことが好ましい。
【００２８】
この場合、凸部の上端部に形成されたテーパー部が、径方向内側へ向かうに従い上方へ向けて傾斜しているので、下記の作用効果を奏する。
すなわち、例えばボトル缶の購入者が、口部を斜め下方へ向けてボトル缶を傾け、飲料等の内容物を口部から注ぎ出した後に、内容物が凸部の缶内面（凸部の裏面）に形成された凹部内に溜まってしまうような不具合を抑制できる。つまり、内容物が前記凹部内から流れ出やすくされるため、内容物が口部内で溜まってしまって目に付くようなことを防止できる。
【００２９】
また、上記ボトル缶は、前記カブラ部において最も径方向外側に位置する部分、及び、前記ねじ部において最も径方向外側に位置する部分のいずれかに対して、前記凸部の前記頂部が径方向外側に配置されたことが好ましい。
【００３０】
この場合、カブラ部又はねじ部に対して、凸部の頂部が径方向外側に配置されている。このように、カブラ部やねじ部に対して、凸部の頂部が径方向の同一位置（直下）に配置されていないことで、特に缶軸方向の荷重に対して座屈強度の向上を図ることができる。
【００３１】
また、上記ボトル缶において、前記凸部の板厚が、０．３ｍｍ以下であることが好ましい。
【００３２】
この場合、凸部の板厚が０．３ｍｍ以下であるので、ボトル缶全体としての薄肉化を十分に図ることができる。そして、このように薄肉化された場合でも、本発明によれば缶体の座屈強度を安定して高めることができる。なお、好ましくは、凸部の板厚は０．２９０ｍｍ以下であり、この場合でも本発明では缶体の座屈強度が確保される。
【発明の効果】
【００３３】
本発明のボトル缶及びキャップ付きボトル缶によれば、薄肉化を図った場合でも缶体の座屈強度を従来通り、またはそれ以上に保つことができる。
【図面の簡単な説明】
【００３４】
【図１】本発明の一実施形態に係るボトル缶を示す半縦断面図である。
【図２】ボトル缶の口部近傍を拡大して示す縦断面図である。
【図３】図２の要部拡大図である。
【図４】本発明の一実施形態に係るボトル缶の変形例であり、該ボトル缶の口部近傍を拡大して示す縦断面図である。
【図５】図４の要部拡大図である。
【図６】参考例のボトル缶の口部近傍を拡大して示す縦断面図である。
【図７】図６の要部拡大図である。
【発明を実施するための形態】
【００３５】
以下、本発明の一実施形態に係るボトル缶１について、図面を参照して説明する。なお、本実施形態の説明に用いる図面は、本発明の特徴をわかりやすくするために、要部となる部分を拡大、強調、抜粋して示している場合があり、各構成要素の寸法比率などが実際のものと同じであるとは限らない。
【００３６】
ボトル缶１は、アルミニウム合金材料を主成分として形成されたアルミボトルである。図１に示されるように、本実施形態ではボトル缶１として、缶軸Ｃ方向に沿う全長（つまり缶全高）が１６４ｍｍ程度とされた、当業者が「４１０Ｂ」サイズと呼ぶボトル缶を一例として挙げている。ただしこれに限定されるものではなく、ボトル缶１は、例えば缶全高が１３３ｍｍ程度とされた、当業者が「３１０Ｂ」サイズと呼ぶボトル缶等であってもよい。
ボトル缶１は、その内部に飲料等の内容物が充填され、後述する缶胴３の口部７に不図示のキャップが取り付けられ密封されることにより、キャップ付きボトル缶とされる。
【００３７】
ボトル缶１は有底筒状をなしており、缶の周壁である缶胴３と、缶の底壁である缶底２と、を備えている。缶胴３の中心軸及び缶底２の中心軸は、互いに同軸に配置されており、本実施形態ではこれらの共通軸を缶軸Ｃという。
また、缶軸Ｃが延在する方向（缶軸Ｃに沿う方向）を缶軸Ｃ方向という。缶軸Ｃ方向のうち、缶底２から缶胴３の開口端部（後述する口部７）へ向かう方向を上方といい、開口端部（口部７）から缶底２へ向かう方向を下方という。
また、缶軸Ｃに直交する方向を径方向という。径方向のうち、缶軸Ｃに接近する向きを径方向の内側といい、缶軸Ｃから離間する向きを径方向の外側という。
また、缶軸Ｃ回りに周回する方向を周方向という。
【００３８】
本実施形態で用いる、ボトル缶の例えば「凹」、「凸」、「窪む」、「突出する」等の各種形状は、特に説明しない限り、ボトル缶の外面（缶外面。外部に露出する表面）における各種形状を表している。
また、図１〜図７に示されるボトル缶の缶軸Ｃに沿う（缶軸Ｃを含む）縦断面視において、ボトル缶の各部形状の説明に用いる「円弧」、「曲線」、「直線」、「接線」等の線形状は、特に説明しない限り、ボトル缶の外面における各種の線形状を表している。
【００３９】
図１において、缶底２は、下方へ向けて突出するとともに周方向に沿って延びる環状凸部（リム）１０と、環状凸部１０の径方向の内側に連設され、上方へ向けて窪むドーム部９と、を備えている。
また、缶胴３は、缶底２に接続する胴部５と、胴部５から上方へ向かうに従い縮径する肩部６と、肩部６から上方へ向けて延びる口部７と、を備えている。
【００４０】
胴部５は、缶底２の環状凸部１０の外周縁部に連設されており、該外周縁部から上方に向けて延びている。胴部５は、缶軸Ｃ方向に沿って略一定の外径とされた円筒状をなしている。胴部５は、缶胴３における最大径部分であり、胴部５の外径は、例えば６５〜６７ｍｍである。
肩部６は、胴部５の上方に連設され、胴部５から上方へ向かうに従い徐々に縮径しており、テーパー状をなしている。
【００４１】
図１〜図３において、口部７は、肩部６の上方に連設されている。口部７は、缶胴３における最小径部分である。口部７は、ねじ部１１と、ねじ部１１の下方に隣接配置され、径方向外側へ向けて膨出するカブラ部１２と、カブラ部１２と肩部６との間に配置され、径方向外側へ向けて突出するとともに周方向に延びる鍔状の凸部１３と、カブラ部１２と凸部１３との間に位置して缶軸Ｃ方向に延びる直線部１４と、口部７の上端開口縁に形成されたカール部１５と、を備えている。
【００４２】
ねじ部１１には、周方向へ向かうに従い缶軸Ｃ方向に向けて延びる螺旋状の雄ねじが形成されている。ねじ部１１の上端部に位置するねじ山の外径は、該上端部以外の部位に位置するねじ山の外径よりも若干小さくされている。公称φ３８口径ボトル缶において、ねじ部１１の外径（最大外径）は、例えば、３６．７〜３７．３ｍｍである。
【００４３】
カブラ部１２は、径方向外側へ向けて膨出するとともに周方向に沿って延びる環状をなしている。図２及び図３に示されるボトル缶１の縦断面視で、カブラ部１２は、略台形状（上底が径方向外端に位置する台形状）をなしている。カブラ部１２の外径は、ねじ部１１の外径に対して同等以上の大きさである。カブラ部１２は、別の名称として例えばスカート部やビード部等と呼ばれることがある。
【００４４】
カブラ部１２の上端部は、上方へ向かうに従い径方向内側へ向けて傾斜するテーパー状に形成されており、ねじ部１１の下端に接近配置されている。カブラ部１２の下端部は、下方へ向かうに従い径方向内側へ向けて傾斜するテーパー状に形成されており、直線部１４の上端に接続している。
図３に示されるボトル缶１の縦断面視において、カブラ部１２の下端部には、カブラ部１２の最大径部分から下方へ向けて延びる凸曲線部と、該凸曲線部の下方に連設された凹曲線部と、が含まれる。本実施形態ではこの凹曲線部の下端を、カブラ部１２の下端１６とする。
【００４５】
カブラ部１２において上端部と下端部との間に位置する中間部は、缶軸Ｃに略平行な円筒状をなしている。具体的には、ボトル缶１の縦断面視において、カブラ部１２の中間部は、径方向外側へ向けて膨出する凸曲線状をなしている。また、図３に示される例では、カブラ部１２の中間部が、上方へ向かうに従い径方向内側へ向けて僅かに傾斜している。
【００４６】
直線部１４は、カブラ部１２の下端１６に連設され、缶軸Ｃを中心とした円筒状をなしていて、缶軸Ｃに平行に延びている。直線部１４の外径は、カブラ部１２の外径よりも小さい。直線部１４の下方には、凸部１３が接近して配置されている。
【００４７】
図２において、カール部１５は、口部７の上端開口縁に位置しており、その先端（材料端）が径方向外側から下方へ向けて折り返されている。カール部１５は、周方向に沿って延びる環状をなしている。カール部１５は、口部７において最も直径が小さくされている。本実施形態の例では、カール部１５の全周に、径方向内側へ向けたスロットル加工（カール潰し加工）が施されている。
【００４８】
凸部１３は、直線部１４よりも径方向外側へ向けて突出するとともに周方向に沿って延びる鍔状をなしている。本実施形態の例では、凸部１３が、周方向に沿って延びる環状をなしている。凸部１３の板厚は、例えば０．３ｍｍ以下であり、好ましくは、０．２９０ｍｍ以下である。
【００４９】
図３に示されるボトル缶１の縦断面視において、凸部１３は、１つの凸円弧部１７を有している。図示の例では、凸円弧部１７が、径方向外側へ向けて凸となる半円形状をなしている。
凸部１３の缶軸Ｃ方向に沿う長さＡは、１．５〜８ｍｍである。本実施形態において、「凸部１３の缶軸Ｃ方向に沿う長さＡ」とは、凸部１３が有する凸円弧部１７における最上端と、最下端と、の間の缶軸Ｃ方向に沿う距離を指す。
【００５０】
図３に示される縦断面視で、凸円弧部１７の上端の径方向内側には、径方向に沿って延びる直線部１８が連設されている。また、直線部１８の径方向内側には、径方向内側へ向かうに従い上方へ向けて延びる凹円弧部１９が連設されている。凹円弧部１９の上端は、直線部１４の下端に接続している。
【００５１】
そして、カブラ部１２の下端１６と、凸部１３のうち最も径方向外側に位置する頂部２０と、の間の缶軸Ｃ方向に沿う距離Ｂが、５ｍｍ以下である。また、距離Ｂは、２．５ｍｍ以上である。
【００５２】
図２及び図３に示されるように、本実施形態では、カブラ部１２において最も径方向外側に位置する部分、及び、ねじ部１１において最も径方向外側に位置する部分のいずれかに対して、凸部１３の頂部２０が、径方向外側に配置されている。図示の例では、カブラ部１２の最外径部分及びねじ部１１の最外径部分の両方に対して、凸部１３の頂部２０が径方向外側に配置されている。
【００５３】
図３に示される縦断面視で、凸部１３と肩部６との間には、凸部１３と肩部６とを接続する複数の凹円弧部２１、２２が形成されている。本実施形態の例では、複数の凹円弧部２１、２２のうち、最も上方に位置する第１凹円弧部２１と、最も下方に位置する第２凹円弧部２２とが、缶軸Ｃ方向に直接的に接続されている。具体的に、この縦断面視において、第１凹円弧部２１は、径方向内側へ向かうに従い下方へ向けて延びており、第２凹円弧部２２は、下方へ向かうに従い径方向外側へ向けて延びている。
【００５４】
またこの縦断面視で、複数の凹円弧部２１、２２同士の曲率半径は、互いに異なっている。つまり、第１凹円弧部２１の曲率半径と、第２凹円弧部２２の曲率半径とが、互いに異なる。図示の例では、複数の凹円弧部２１、２２のうち、第１凹円弧部２１の曲率半径に比べて、それよりも下方に位置する第２凹円弧部２２の曲率半径が、大きくされている。
【００５５】
この縦断面視において、複数の凹円弧部２１、２２のうち、凸部１３の下方に隣接配置された第１凹円弧部２１と、凸部１３（の下端）と、を繋ぐ接続部を第１接続部３１と呼ぶ。また、複数の凹円弧部２１、２２のうち、肩部６の上方に隣接配置された第２凹円弧部２２と、肩部６（の上端）と、を繋ぐ接続部を第２接続部３２と呼ぶ。本実施形態において、第１接続部３１と、第２接続部３２と、の間の缶軸Ｃ方向に沿う距離Ｅは、３ｍｍ以上である。
またこの縦断面視において、凸部１３の頂部２０と、凸部１３と肩部６との間で最も径方向内側に位置する部分と、の間の径方向に沿う距離Ｆは、０．６ｍｍより大きい。
【００５６】
次に、本実施形態のボトル缶１の製造方法について、製造工程の一例を説明する。
ボトル缶１は、板材打ち抜き工程、カッピング工程（絞り工程）、ＤＩ工程（絞りしごき工程）、トリミング工程、印刷・塗装（缶外面）工程、塗装（缶内面）工程、ネッキング工程、トリミング工程、ねじ成形工程、カール工程及びスロットル工程等を経て、製缶される。
【００５７】
板材打ち抜き工程では、アルミニウム合金材料等からなる圧延材（板材）を打ち抜き加工して、円板状のブランクを成形する。
カッピング工程（絞り工程）では、ブランクをカッピングプレスにより絞り加工（カッピング加工）して、カップ状体に成形する。
【００５８】
ＤＩ工程（絞りしごき工程）では、ＤＩ缶製造装置によってカップ状体に再絞り及びしごき加工を施して、缶胴と缶底とを備えた有底円筒状のＤＩ缶を成形する。なお「ＤＩ」とは、Ｄｒａｗｉｎｇ＆Ｉｒｏｎｉｎｇの略称である。
またＤＩ工程において、缶底には、上述したドーム部９及び環状凸部１０がプレス成形される。
【００５９】
ＤＩ工程を経たＤＩ缶は、缶胴の開口端縁が凹凸形状をなしており、いわゆる耳が形成されていて高さが不均一である。このため、トリミング装置を用いて缶胴の開口端部のトリミング加工を行い、開口端部の高さが全周にわたって均等に揃えられたＤＩ缶とする（トリミング工程）。
【００６０】
次いで、ＤＩ缶を洗浄して油分等を除去した後に、表面処理を施して乾燥し、ＤＩ缶の外面の印刷及び塗装を行い（印刷・塗装（缶外面）工程）、ＤＩ缶の内面の塗装を行う（塗装（缶内面）工程）。
なお、上述したように、製缶されたボトル缶１の缶胴３の開口端部近傍には、肩部６及び口部７が形成されるが、本実施形態の例では、肩部６及び口部７の成形が、印刷・塗装（缶外面）工程及び塗装（缶内面）工程よりも後に行われる場合について説明する。ただし、塗装（缶内面）工程については、肩部６及び口部７の成形よりも後に行われてもよい。
【００６１】
ＤＩ缶の缶外面には、印刷及び外面仕上げ塗装が行われる。印刷、外面仕上げ塗装の焼付・乾燥は、同時に行われる。肩部６及び口部７の成形時には、塗膜に対して強い負荷が作用し、塗膜の焼付が十分でないと開栓性への影響が生じるため、ＤＩ缶への焼付・乾燥の温度は、例えば缶胴と缶蓋からなる２ピース缶等に比べて高く設定される。
また、外面塗装後は、内面塗装とその乾燥・焼付が行われる。ＤＩ缶の内面への塗装は、スプレーノズルによって缶胴の開口端部から缶底へ向けて塗料を噴霧して行われる。噴霧した塗料を乾燥することにより缶内面に塗膜を形成して、耐食性を付与する。
【００６２】
このＤＩ缶を、ボトル缶製造装置に移送する。ボトル缶製造装置では、複数種類のダイ加工ツール（ネッキング成形金型）を用いて、缶胴の開口端部及びその近傍に段階的にダイ加工（ネッキング加工）を施すことにより、肩部６及び口部７を成形する（ネッキング工程）。また必要に応じて、複数種類のダイ加工同士の間に、トリミング加工ツールを用いて、高さが不揃いとなった開口端部のトリミング加工を行う（トリミング工程）。これにより、缶胴３に肩部６及び口部７を有するボトル缶１が成形される。
【００６３】
次いで、缶胴３の口部７に、ねじ成形加工ツールを用いてねじ成形加工を施す（ねじ成形工程）。また口部７に、カール加工ツールを用いてカール加工を施し（カール工程）、スロットル加工ツール（カール潰し加工ツール）を用いてスロットル加工（スロットル工程）を施す。これにより、口部７にねじ部１１及びカール部１５が成形される。
なお、本実施形態では、口部７のカブラ部１２及び凸部１３の成形を、上記ネッキング工程においてダイ加工ツールを用いて行う。ただし、凸部１３の成形については、ねじ成形工程の前後において回転加工ツール（中子ローラ、外子ローラ等の成形ローラ）を用いて行ってもよい。
これにより、図１に示されるようなボトル缶１が製缶される。
【００６４】
スロットル工程よりも後工程において、ボトル缶１の内部には飲料等の内容物が充填され、ボトル缶１の口部７には、有頂筒状をなすキャップ（不図示）が取り付けられる。
具体的には、ボトル缶１の口部７にキャップを被せ、プレッシャーブロックによって、口部７に対してキャップを下方へ向けて押し付ける。これにより、キャップの頂壁（天壁）の下面に設けたシール材を、口部７のカール部１５に上方から押し付け、ボトル缶１を密封状態とする。この密封状態で、キャップの周壁にねじ巻きローラを径方向内側へ向けて押し当てつつ周方向に転動させることにより、該周壁にねじ部１１の雄ねじ形状に倣った雌ねじ形状を形成する。また、キャップの周壁の下端部に裾巻きローラを径方向内側へ向けて押し当てつつ周方向に転動させることにより、該周壁の下端部をカブラ部１２に係止させる。これにより、ボトル缶１の内容物が密封された状態で、口部７にキャップが取り付けられる。またこの密封状態は、口部７からキャップを取り外し開栓するまでの間、維持される。
【００６５】
以上説明した本実施形態に係るボトル缶１及びキャップ付きボトル缶の作用効果は、下記の通りである。
本発明の発明者は、ボトル缶１の座屈強度について鋭意研究を重ねた結果、座屈強度低下の一つの原因として、（横断面にて）飲み口部（口部）７近傍の楕円状変形の影響が大きく、飲み口部７に近い位置で強度（または剛性）を高めることが座屈抑制に効果的である、という知見に至った。
【００６６】
そこで本実施形態では、口部７におけるカブラ部１２と肩部６との間に、径方向外側に突出するとともに周方向に延びる鍔状の凸部１３を設けることとした。具体的には図３に示されるように、この凸部１３のうち最も径方向外側に位置する頂部２０が、カブラ部１２の下端１６から缶軸Ｃ方向に沿う５ｍｍ以下の範囲（つまり、距離Ｂが５ｍｍ以下となる）に配置される。このように凸部１３が、カブラ部１２及びその上方に隣接するねじ部１１に接近して配置されているので、ねじ部１１やカブラ部１２の強度を確実に高めることができ、その結果、缶体の座屈変形を効果的に抑制できる。
【００６７】
本実施形態とは異なり、カブラ部１２の下端１６と、凸部１３のうち最も径方向外側に位置する頂部２０と、の間の缶軸Ｃ方向に沿う距離Ｂが５ｍｍを超える場合には、ねじ部１１及びカブラ部１２に対して凸部１３を接近配置できないため、缶体の座屈変形抑制効果が十分に得られない。そのため、薄肉化の要請に応えることは難しい。
一方、本実施形態によれば、口部７の構造剛性を確実に高めることができるので、薄肉化を図っても口部７の変形を効果的に低減（または抑制）できる。そして本実施形態は、薄肉化を図っても缶体の座屈強度を従来通り、またはそれ以上に保つことができる。
【００６８】
ここで、図６及び図７に示される参考例のボトル缶１００を用いて、本実施形態のボトル缶１による座屈強度向上の効果を具体的に説明する。
この参考例では、カブラ部１２と肩部６との間に、鍔状の凸部１３が形成される代わりに、直線部１４よりも大径とされた筒状部１０１が形成されている。また、カブラ部１２の下端１６と、筒状部１０１のうち最も径方向外側に位置する頂部１０２と、の間の缶軸Ｃ方向に沿う距離（最短距離）Ｂが５ｍｍを超える。
【００６９】
本実施形態のボトル缶１と、参考例のボトル缶１００とについて、座屈固有値解析により座屈荷重を確認した。なお、上述以外の構成（図示しない口部７の口径や板厚等）については互いに同一条件とし、解析ソフトにはＡＢＡＱＵＳを用いた。
その結果、参考例のボトル缶１００に対して、本実施形態のボトル缶１は、缶体の座屈強度が例えば２５％程度も向上することが確認された。
【００７０】
なお、本実施形態の上述した作用効果をより格別顕著なものとするには、好ましくは、距離Ｂは、５ｍｍ以下である。また、缶製造時において、キャップの周壁の下端部をカブラ部１２に裾巻き成形するにあたり、裾巻きローラと凸部１３との干渉を確実に防止する観点からは、距離Ｂは、２．５ｍｍ以上であることが好ましい。
【００７１】
また本実施形態では、ボトル缶１の縦断面視において、凸部１３と肩部６との間に複数の凹円弧部２１、２２が形成されており、これらの凹円弧部２１、２２を介して凸部１３と肩部６とが接続されている。これにより、下記の作用効果を奏する。
すなわちこの場合、本実施形態で説明したように複数の凹円弧部２１、２２の曲率半径を互いに異ならせることができるので、例えば、曲率半径の大きい凹円弧部２２によって、凸部１３と肩部６との間の缶軸Ｃ方向に沿う距離を長く確保することができ、上述した本実施形態による作用効果がより格別顕著なものとなる。
また、曲率半径の小さい凹円弧部２１によって、凸部１３の径方向外側へ向けた突出量を大きく確保しやすくなり、軸方向や径方向の荷重に対する強度の向上を図ることができる。
【００７２】
また本実施形態では、凸部１３の下端に位置する第１接続部３１と、肩部６の上端に位置する第２接続部３２と、の間の缶軸Ｃ方向に沿う距離Ｅが３ｍｍ以上であるので、凸部１３と肩部６との缶軸Ｃ方向に沿う距離を長く確保することができ、その分、凸部１３とカブラ部１２との缶軸Ｃ方向の距離を短くすることができて、上述した本実施形態による作用効果がより格別顕著なものとなる。
【００７３】
また本実施形態では、凸部１３の頂部２０と、凸部１３と肩部６との間で最も径方向内側に位置する部分と、の間の径方向に沿う距離Ｆが、０．６ｍｍより大きいので、該凸部１３によって缶体の座屈強度を確実にかつ顕著に高めることができる。
【００７４】
また本実施形態では、凸部１３の缶軸Ｃ方向に沿う長さＡが１．５ｍｍ以上であるので、缶製造時において、口部７の成形後に、缶内面に塗料を噴霧し塗膜を形成する場合には、凸部１３の缶内面（凸部１３の裏面）に内面塗料を流しやすく（全体に行き渡りやすく）することができ、缶内面への塗装状態が安定する。また、口部７の成形前に、缶内面に塗料を噴霧し塗膜を形成する場合には、凸部１３の成形時において、凸部１３の缶内面に成形される凹部が小さく曲げられることにより該凹部から塗膜が剥がれるような不具合を防止できる。また、製品のボトル缶１において、凸部１３の缶内面に形成された凹部に飲料等の内容物が溜まってしまうような不具合を抑制できる。
【００７５】
また、凸部１３の缶軸Ｃ方向の長さＡが８ｍｍ以下であるので、凸部１３の缶軸Ｃ方向の全長を長く確保するために肩部６の位置を下げ、内容物の容量が減じてしまうことを防止できる。
【００７６】
また本実施形態では、カブラ部１２又はねじ部１１に対して、凸部１３の頂部２０が径方向外側に配置されている。このように、カブラ部１２やねじ部１１に対して、凸部１３の頂部２０が径方向の同一位置（直下）に配置されていないことで、特に缶軸Ｃ方向の荷重に対して座屈強度の向上を図ることができる。
【００７７】
また本実施形態では、凸部１３の板厚が０．３ｍｍ以下であるので、ボトル缶１全体としての薄肉化を十分に図ることができる。そして、このように薄肉化された場合でも、本実施形態によれば缶体の座屈強度を安定して高めることができる。なお、好ましくは、凸部１３の板厚は０．２９０ｍｍ以下であり、この場合でも本実施形態では缶体の座屈強度が確保される。
【００７８】
なお、本発明は前述の実施形態に限定されるものではなく、例えば下記に説明するように、本発明の趣旨を逸脱しない範囲において種々の変更を加えることが可能である。
【００７９】
前述の実施形態では、凸部１３が、全周に連続した環状をなしている。これに代えて、凸部１３が、周方向に不連続に間隔をあけて複数設けられていてもよい。
また、凸部１３の板厚が０．３ｍｍ以下であるとしたが、これに限定されるものではなく、凸部１３の板厚は、０．３ｍｍを超えてもよい。
また、ボトル缶１の縦断面視で、凸部１３と肩部６との間に２つの凹円弧部２１、２２が設けられた例を挙げて説明したが、凹円弧部は、３つ以上設けられていてもよい。
また、ボトル缶１として、缶胴３と缶底２とが一体に形成された例を挙げて説明したが、ボトル缶１は、缶胴３と缶底２とが別体に形成され、これらが組み合わされていてもよい。
【００８０】
また、図４及び図５は、前述の実施形態で説明したボトル缶１の変形例を表している。この変形例において、前述の実施形態と同じ構成要素や製造工程については詳細な説明を省略し、主として異なる点について下記に説明する。
【００８１】
この変形例では、図４及び図５に示されるボトル缶１の缶軸Ｃに沿う縦断面視において、カブラ部１２と肩部６との間に、径方向外側へ向けて突出するとともに周方向に延びる鍔状の凸部２３が形成されている。図４に示される縦断面視で、凸部２３は、複数の凸円弧部４１、４２と、複数の凸円弧部４１、４２同士を接続する直線部４３と、を有している。
【００８２】
複数の凸円弧部４１、４２のうち、最も上方に位置する第１凸円弧部４１と、最も下方に位置する第２凸円弧部４２とは、直線部４３を介して缶軸Ｃ方向に間接的に接続されている。この縦断面視において、第１凸円弧部４１は、下方へ向かうに従い径方向外側へ向けて延びており、第２凸円弧部４２は、下方へ向かうに従い径方向内側へ向けて延びている。これらの凸円弧部４１、４２の曲率半径は、互いに同一であってもよいし、異なっていてもよい。図示の例では、直線部４３が、缶軸Ｃに平行に上下方向に延びている。
【００８３】
凸部２３の缶軸Ｃ方向に沿う長さＡは、１．５〜８ｍｍである。この変形例において、「凸部２３の缶軸Ｃ方向に沿う長さＡ」とは、凸部２３が有する複数の凸円弧部４１、４２のうち、最も上方に位置する第１凸円弧部４１の上端と、最も下方に位置する第２凸円弧部４２の下端と、の間の缶軸Ｃ方向に沿う距離を指す。
【００８４】
また、カブラ部１２の下端１６と、凸部２３のうち最も径方向外側に位置する頂部２４と、の間の缶軸Ｃ方向に沿う距離Ｂは、５ｍｍ以下である。図示の例では、頂部２４が、缶軸Ｃに平行な直線部４３上に位置しており、この場合、上記距離Ｂとは、カブラ部１２の下端１６と、頂部２４のうち最上端と、の間の缶軸Ｃ方向の距離（つまり最短距離）を指す。
【００８５】
また、凸部２３における上端部には、径方向内側へ向かうに従い上方へ向けて傾斜するテーパー部２５が形成されている。テーパー部２５は、第１凸円弧部４１の上端から径方向内側へ向けて連設されている。テーパー部２５の径方向内側には、径方向内側へ向かうに従い上方へ向けて延びる凹円弧部２６が連設されている。凹円弧部２６の上端は、直線部１４の下端に接続している。
また、凸部２３における下端部には、径方向内側へ向かうに従い下方へ向けて傾斜するテーパー部２７が形成されている。テーパー部２７は、第２凸円弧部４２の下端から径方向内側へ向けて連設されている。テーパー部２７の径方向内側には、第１凹円弧部２１が連設されている。
【００８６】
以上説明した変形例においても、前述の実施形態と同様の作用効果が得られる。
またこの変形例では、ボトル缶１の縦断面視において、凸部２３に複数の凸円弧部４１、４２が形成されている。これにより、下記の作用効果を奏する。
すなわちこの場合、複数の凸円弧部４１、４２の曲率半径を互いに異ならせることができるので、例えば、曲率半径の小さい凸円弧部４１によって、カブラ部１２に対して凸部２３（の頂部２４）を缶軸Ｃ方向に接近配置しやすくなり、前述した実施形態による作用効果がより安定して得られやすくなる。また、曲率半径の小さい凸円弧部４１又は４２によって、缶軸Ｃ方向の所定の領域内における凸部２３の径方向外側へ向けた突出量を大きく確保しやすくなり、軸方向や径方向の荷重に対する強度の向上を図ることができる。
【００８７】
また、曲率半径の大きい凸円弧部４１又は４２によって、凸部２３の缶軸Ｃ方向に沿う長さＡを大きく確保することができ、凸部２３が成形しやすくなる。
また、ボトル缶１の外面に曲率半径の大きい凸円弧部が形成されることによって、該ボトル缶１の内面においては、曲率半径の大きい凹円弧部が形成される。このため、缶製造時において、口部７の成形後に、缶内面に塗料を噴霧し塗膜を形成する場合には、凸部２３の缶内面（凸部２３の裏面）に内面塗料を流しやすく（全体に行き渡りやすく）することができ、缶内面への塗装状態が安定する。また、口部７の成形前に、缶内面に塗料を噴霧し塗膜を形成する場合には、凸部２３の成形時において、凸部２３の缶内面に曲率半径の大きな凹円弧部が成形されることにより該凹円弧部から塗膜が剥がれるような不具合を抑制できる。また、製品のボトル缶１において、凸部２３の缶内面に形成された凹部に飲料等の内容物が溜まってしまうような不具合を防止できる。
【００８８】
また、缶軸Ｃに沿う縦断面視で、凸部２３が、複数の凸円弧部４１、４２同士を接続する直線部４３を有しているので、下記の作用効果を奏する。
すなわちこの場合、ボトル缶１の縦断面視において、凸部２３に、複数の凸円弧部４１、４２及びこれらの凸円弧部４１、４２同士を接続する直線部４３が形成されている。直線部４３が設けられることによって、凸部２３の缶軸Ｃ方向に沿う長さＡを大きく確保することが容易となり、該凸部２３による座屈強度向上の効果を缶軸Ｃ方向の広い範囲で得ることができる。
また、直線部４３が形成されて凸部２３の缶軸Ｃ方向の長さＡが大きくなる分、缶製造時において、口部７の成形後に、缶内面に塗料を噴霧し塗膜を形成する場合には、凸部２３の缶内面（凸部２３の裏面）に内面塗料を流しやすく（全体に行き渡りやすく）することができ、缶内面への塗装状態が安定する。また、口部７の成形前に、缶内面に塗料を噴霧し塗膜を形成する場合には、凸部２３の成形時において、凸部２３の缶内面に成形される凹部が小さく曲げられることにより該凹部から塗膜が剥がれるような不具合を防止できる。また、製品のボトル缶１において、凸部２３の缶内面に形成された凹部に飲料等の内容物が溜まってしまうような不具合を抑制できる。
なお、直線部４３は缶軸Ｃに対して傾斜して延びていてもよく、この場合、凸部２３の径方向に沿う長さ（径方向外側へ向けた突出量）をより大きく確保することができ、軸方向や径方向の荷重に対する強度の向上を図ることができる。なおこの場合、距離Ｂを小さく維持するため、直線部４３は、下方に向かうに従い径方向内側へ向けて傾斜することが好ましい。
また、直線部４３が設けられずに、複数の凸円弧部４１、４２同士が直接的に接続されていてもよい。
【００８９】
また、凸部２３の上端部に形成されたテーパー部２５が、径方向内側へ向かうに従い上方へ向けて傾斜しているので、下記の作用効果を奏する。
すなわち、例えばボトル缶１の購入者が、口部７を斜め下方へ向けてボトル缶１を傾け、飲料等の内容物を口部７から注ぎ出した後に、内容物が凸部２３の缶内面（凸部２３の裏面）に形成された凹部内に溜まってしまうような不具合を抑制できる。つまり、内容物が前記凹部内から流れ出やすくされるため、内容物が口部７内で溜まってしまって目に付くようなことを防止できる。
【００９０】
上記変形例のボトル缶１と、図６及び図７に示される参考例のボトル缶１００とについて、ＡＢＡＱＵＳ（解析ソフト）により座屈固有値解析を行い、座屈荷重を確認したところ、参考例のボトル缶１００に対して変形例のボトル缶１は、缶体の座屈強度が例えば２０％程度も向上することが確認された。
【００９１】
また、特に図示しないが、ボトル缶１の缶軸Ｃに沿う縦断面視で、凸部１３、２３と肩部６との間に位置する複数の凹円弧部２１、２２の間に、凹円弧部２１、２２同士を接続する直線部が形成されていてもよい。
この場合、ボトル缶１の縦断面視において、凸部１３、２３と肩部６との間に、複数の凹円弧部２１、２２及びこれらの凹円弧部２１、２２同士を接続する直線部が形成される。直線部が設けられることによって、凸部１３、２３と肩部６との缶軸Ｃ方向に沿う距離を長く確保することが容易となり、その分、凸部１３とカブラ部１２との缶軸Ｃ方向の距離を短くすることができて、前述の実施形態及び変形例による作用効果を安定して得ることができる。
【００９２】
その他、本発明の趣旨から逸脱しない範囲において、前述の実施形態、変形例及びなお書き等で説明した各構成（構成要素）を組み合わせてもよく、また、構成の付加、省略、置換、その他の変更が可能である。また本発明は、前述した実施形態によって限定されることはなく、特許請求の範囲によってのみ限定される。
【産業上の利用可能性】
【００９３】
本発明のボトル缶及びキャップ付きボトル缶は、薄肉化を図った場合でも缶体の座屈強度を従来通り、またはそれ以上に保つことができる。従って、産業上の利用可能性を有する。
【符号の説明】
【００９４】
１  ボトル缶
２  缶底
３  缶胴
５  胴部
６  肩部
７  口部
１１  ねじ部
１２  カブラ部
１３、２３  凸部
１６  カブラ部の下端
２０、２４  頂部
２１  第１凹円弧部（凹円弧部）
２２  第２凹円弧部（凹円弧部）
２５  テーパー部
３１  第１接続部
３２  第２接続部
４１  第１凸円弧部（凸円弧部）
４２  第２凸円弧部（凸円弧部）
４３  直線部
Ａ  凸部の缶軸方向に沿う長さ
Ｂ  カブラ部の下端と、凸部のうち最も径方向外側に位置する頂部と、の間の缶軸方向に沿う距離
Ｃ  缶軸
Ｅ  第１接続部と、第２接続部と、の間の缶軸方向に沿う距離
Ｆ  凸部の頂部と、凸部と肩部との間で最も径方向内側に位置する部分と、の間の径方向に沿う距離
【図１】
2018184187.tif 000003
【図２】
2018184187.tif 000004
【図３】
2018184187.tif 000005
【図４】
2018184187.tif 000006
【図５】
2018184187.tif 000007
【図６】
2018184187.tif 000008
【図７】
2018184187.tif 000009